(57)【要約】【課題】外部からプラグが挿入されるプラグ挿入部への異物の侵入をより確実に防ぐ電子機器およびコネクタ、を提供する。【解決手段】電子機器としての携帯型電話機は、プラグ７２が挿入される凹形状のプラグ挿入部２１と、プラグ挿入部２１が開口する外面１３とを有する本体ケース１２と、プラグ挿入部２１に挿入されたプラグ７２と接触するように設けられる電極部４２と、プラグ挿入部２１に設けられ、プラグ挿入部２１の開口を塞ぐ第１位置と、プラグ挿入部２１の開口から見て電極部４２よりも奥まった第２位置との間で移動可能なパッキン３１とを備える。プラグ挿入部２１へのプラグ７２の挿入時、パッキン３１がプラグ７２に押されることにより第１位置から第２位置に移動する。【選択図】図３
2013062130.tif 000002
【特許請求の範囲】
【請求項１】
プラグが接続されることにより、充電もしくは情報信号の授受を行なう電子機器であって、
プラグが挿入される凹形状のプラグ挿入部と、前記プラグ挿入部が開口する外面とを有する筐体と、
前記プラグ挿入部に挿入されたプラグと接触するように設けられる電極部と、
前記プラグ挿入部に設けられ、前記プラグ挿入部の開口を塞ぐ第１位置と、前記プラグ挿入部の開口から見て前記電極部よりも奥まった第２位置との間で移動可能なパッキンとを備え、
前記プラグ挿入部へのプラグの挿入時、前記パッキンがプラグに押されることにより前記第１位置から前記第２位置に移動する、電子機器。
【請求項２】
プラグが前記プラグ挿入部に挿入されるのに伴って、前記電極部を前記プラグ挿入部より退避した位置から前記プラグ挿入部に向けて移動させる移動機構部をさらに備える、請求項１に記載の電子機器。
【請求項３】
前記移動機構部は、前記パッキンと前記電極部との間を連結するように設けられ、前記プラグ挿入部へのプラグの挿入時、前記第１位置から前記第２位置に移動する前記パッキンの動きを、前記電極部を前記プラグ挿入部より退避した位置から前記プラグ挿入部に向けて移動させる動きに変換する、請求項２に記載の電子機器。
【請求項４】
前記プラグ挿入部へのプラグの挿入時に、前記パッキンに対して前記第２位置から前記第１位置へと押し戻す力を作用させる弾性部材をさらに備える、請求項１から３のいずれか１項に記載の電子機器。
【請求項５】
前記弾性部材で発生した力に抗して、前記パッキンを前記第２位置に保持するロック機構をさらに備える、請求項４に記載の電子機器。
【請求項６】
前記パッキンは、前記第１位置にある時に、前記プラグ挿入部の開口の外周で前記外面と重なり合うように設けられる、請求項１から５のいずれか１項に記載の電子機器。
【請求項７】
請求項１から６のいずれか１項に記載の電子機器において、充電もしくは情報信号の授受を行なう際に用いられるコネクタであって、
前記プラグ挿入部に挿入されるプラグと、
前記プラグから鍔状に広がって設けられ、前記プラグが前記プラグ挿入部に挿入された時に、前記プラグ挿入部の開口の外周で前記外面と重なり合うように位置決めされるシール部材とを備える、コネクタ。
【発明の詳細な説明】
【技術分野】
【０００１】
この発明は、一般的には、電子機器およびコネクタに関し、より特定的には、プラグが接続されることにより、充電もしくは情報信号の授受を行なう電子機器、およびそのような電子機器において、充電もしくは情報信号の授受を行なう際に用いられるコネクタに関する。
【背景技術】
【０００２】
従来の電子機器に関して、たとえば、特開平５−１６６５６３号公報には、少ない防水シートで防水することを目的とした防水コネクタが開示されている（特許文献１）。特許文献１に開示された防水コネクタにおいては、雄コネクタが雌コネクタの嵌合凹部に嵌め込まれる。嵌合凹部の口は、防水シートによって塞がれる。雄コネクタは、防水シートをバックリテーナとともに締め付けるフック片を有する。
【０００３】
また、特開平５−６７８４号公報には、防水シートをケーブルに装着する作業が必要でなく、端子をハウジングの端子収納室に挿入する際にも挿入抵抗を生じさせないことを目的とした防水コネクタが開示されている（特許文献２）。特許文献２に開示された防水コネクタにおいては、端子挿入時には、端子の最大径よりも大きく拡径して、端子の挿入による抵抗をなくし、端子挿入後には、縮径してケーブルと密接する防水シールが設けられる。
【先行技術文献】
【特許文献】
【０００４】
【特許文献１】特開平５−１６６５６３号公報
【特許文献２】特開平５−６７８４号公報
【発明の概要】
【発明が解決しようとする課題】
【０００５】
携帯型電話機、ＰＤＡ（Personal Digital Assistants）、タブレット端末、電子辞書もしくは電子ブックリーダなどの電子機器においては、外部からプラグが接続されることによって、バッテリの充電や情報信号の授受が行なわれる。このような外部からプラグが挿入されるプラグ挿入部には、埃や水などの異物が侵入することを防ぐために、取り外しが可能なゴム製のパッキンを設ける構造が一般的である。
【０００６】
しかしながら、このような構造では、バッテリの充電ごとに、もしくは情報信号の授受を実施するごとにパッキンをプラグ挿入部から取り外す必要があるため、着脱の回数が増えるに従ってパッキンが破損したり、パッキンとプラグ挿入部との密着度が薄れたりする。この場合、プラグ挿入部への異物の侵入を確実に防ぐことができないという懸念が生じる。
【０００７】
そこでこの発明の目的は、上記の課題を解決することであり、外部からプラグが挿入されるプラグ挿入部への異物の侵入をより確実に防ぐ電子機器およびコネクタを提供することである。
【課題を解決するための手段】
【０００８】
この発明に従った電子機器は、プラグが接続されることにより、充電もしくは情報信号の授受を行なう電子機器である。電子機器は、プラグが挿入される凹形状のプラグ挿入部と、プラグ挿入部が開口する外面とを有する筐体と、プラグ挿入部に挿入されたプラグと接触するように設けられる電極部と、プラグ挿入部に設けられ、プラグ挿入部の開口を塞ぐ第１位置と、プラグ挿入部の開口から見て電極部よりも奥まった第２位置との間で移動可能なパッキンとを備える。プラグ挿入部へのプラグの挿入時、パッキンがプラグに押されることにより第１位置から第２位置に移動する。
【０００９】
このように構成された電子機器によれば、プラグ挿入部へのプラグの挿入時に、パッキンがプラグ挿入部の開口を塞ぐ第１位置から電極部よりも奥まった第２位置に移動するため、充電もしくは情報信号の授受を行なうごとにパッキンを取り外す必要がない。このため、パッキンが劣化することを抑制し、プラグ挿入部への異物の侵入をより確実に防ぐことができる。
【００１０】
また好ましくは、電子機器は、プラグがプラグ挿入部に挿入されるのに伴って、電極部をプラグ挿入部より退避した位置からプラグ挿入部に向けて移動させる移動機構部をさらに備える。
【００１１】
このように構成された電子機器によれば、プラグ挿入部へのプラグの挿入時に、プラグと電極部とが干渉することを防ぐとともに、プラグの挿入後には、電極部とプラグとを接触させることができる。
【００１２】
また好ましくは、移動機構部は、パッキンと電極部との間を連結するように設けられる。移動機構部は、プラグ挿入部へのプラグの挿入時、第１位置から第２位置に移動するパッキンの動きを、電極部をプラグ挿入部より退避した位置からプラグ挿入部に向けて移動させる動きに変換する。
【００１３】
このように構成された電子機器によれば、プラグ挿入部へのプラグの挿入時、プラグに押されて第１位置から第２位置に移動するパッキンの動きに連動させて、電極部をプラグ挿入部より退避した位置からプラグ挿入部に向けて移動させることができる。
【００１４】
また好ましくは、電子機器は、プラグ挿入部へのプラグの挿入時に、パッキンに対して第２位置から第１位置へと押し戻す力を作用させる弾性部材をさらに備える。
【００１５】
このように構成された電子機器によれば、充電もしくは情報信号の授受の終了後、プラグ挿入部からプラグを引き抜く際に、弾性部材からパッキンに作用する力によって、パッキンを第２位置から第１位置に戻すことができる。
【００１６】
また好ましくは、電子機器は、弾性部材で発生した力に抗して、パッキンを第２位置に保持するロック機構をさらに備える。
【００１７】
このように構成された電子機器によれば、充電もしくは情報信号の授受を行なう際に、パッキンを第２位置に保持することができる。
【００１８】
また好ましくは、パッキンは、第１位置にある時に、プラグ挿入部の開口の外周で外面と重なり合うように設けられる。
【００１９】
このように構成された電子機器によれば、パッキンが第１位置にある時に、パッキンとプラグ挿入部の開口との間に隙間が生じることを抑制できる。これにより、プラグ挿入部への異物の侵入をさらに確実に防ぐことができる。
【００２０】
この発明に従ったコネクタは、上述のいずれかに記載の電子機器において、充電もしくは情報信号の授受を行なう際に用いられるコネクタである。コネクタは、プラグ挿入部に挿入されるプラグと、プラグから鍔状に広がって設けられ、プラグがプラグ挿入部に挿入された時に、プラグ挿入部の開口の外周で外面と重なり合うように位置決めされるシール部材とを備える。
【００２１】
このように構成されたコネクタによれば、プラグ挿入部へのプラグの挿入時に、プラグ挿入部とプラグとの間に隙間が生じることを抑制できる。これにより、プラグ挿入部への異物の侵入をさらに確実に防ぐことができる。
【発明の効果】
【００２２】
以上に説明したように、この発明に従えば、外部からプラグが挿入されるプラグ挿入部への異物の侵入をより確実に防ぐ電子機器およびコネクタを提供することができる。
【図面の簡単な説明】
【００２３】
【図１】この発明の実施の形態１における携帯型電話機を示す斜視図である。
【図２】図１中のＩＩ−ＩＩ線上に沿った携帯型電話機を示す断面図である。
【図３】バッテリ充電時、充電用コネクタが接続された携帯型電話機を示す断面図である。
【図４】図２中のＩＶ−ＩＶ線上に沿った携帯型電話機を示す断面図である。
【図５】図２中の矢印Ｖに示す方向から見た携帯型電話機を示す図である。
【図６】携帯型電話機の第１変形例を示す断面図である。
【図７】携帯型電話機の第２変形例を示す断面図である。
【図８】携帯型電話機の第３変形例を示す断面図である。
【図９】図８中の携帯型電話機に用いられる充電用コネクタのプラグを示す斜視図である。
【発明を実施するための形態】
【００２４】
この発明の実施の形態について、図面を参照して説明する。なお、以下で参照する図面では、同一またはそれに相当する部材には、同じ番号が付されている。
【００２５】
（実施の形態１）
図１は、この発明の実施の形態１における携帯型電話機を示す斜視図である。図１を参照して、携帯型電話機１０は、本体ケース１２と、表示部として液晶ディスプレイ１４と、操作部としての複数の操作ボタン１１とを有する。
【００２６】
本体ケース１２は、携帯型電話機１０の外観をなす筐体として設けられている。本体ケース１２は、外面１３が形成された略直方体形状を有する。
【００２７】
携帯型電話機１０には、図示しないバッテリが内蔵されており、そのバッテリの充電時、充電用コネクタ７０が用いられる。充電用コネクタ７０は、プラグ７２Ａおよびプラグ７２Ｂ（以下、特に区別しない場合はプラグ７２という）と、ＡＣアダプタ７６と、コンセントプラグ７７とを有する。
【００２８】
プラグ７２は、携帯型電話機１０に接続可能な端子として設けられている。プラグ７２Ａは、プラス端子に対応し、プラグ７２Ｂは、マイナス端子に対応する。コンセントプラグ７７は、たとえば、各家庭に設けられたコンセントに接続可能な端子として設けられている。ＡＣアダプタ７６は、プラグ７２とコンセントプラグ７７とを繋ぐケーブルの経路上に設けられている。ＡＣアダプタ７６は、家庭用の電源から供給される交流電力を、バッテリを充電するための直流電力に変換する。
【００２９】
本実施の形態では、プラグ７２が円柱形状の外形を有する。なお、携帯型電話機１０に接続可能な端子として、プラグ７２に替えてＵＳＢ端子が利用されてもよい。
【００３０】
本体ケース１２には、プラグ挿入部２１Ａおよびプラグ挿入部２１Ｂが設けられている（以下、特に区別しない場合はプラグ挿入部２１という）。充電用コネクタ７０を用いた携帯型電話機１０のバッテリ充電時、プラグ挿入部２１Ａにプラグ７２Ａが接続され、プラグ挿入部２１Ｂにプラグ７２Ｂが接続される。プラグ挿入部２１は、本体ケース１２に設けられている。プラグ挿入部２１Ａとプラグ挿入部２１Ｂとは、互いに間隔を隔てて設けられている。
【００３１】
図２は、図１中のＩＩ−ＩＩ線上に沿った携帯型電話機を示す断面図である。図３は、バッテリ充電時、充電用コネクタが接続された携帯型電話機を示す断面図である。図３中は、図２に対応する断面位置が示されている。
【００３２】
図１から図３を参照して、プラグ挿入部２１は、本体ケース１２の外面１３から凹む凹形状を有する。プラグ挿入部２１Ａとプラグ挿入部２１Ｂとは、互いに同一構造を有する。
【００３３】
プラグ挿入部２１の構造についてより具体的に説明すると、本体ケース１２は、第１側壁部２２および第１底壁部２３を有する。第１側壁部２２は、外面１３から本体ケース１２の内側に折れ曲がり、筒状に延在して設けられている。第１底壁部２３は、外面１３から本体ケース１２の内側に折れ曲がった先端で、第１側壁部２２の開口端を塞ぐように設けられている。プラグ挿入部２１は、外面１３に開口するとともに、第１側壁部２２および第１底壁部２３により囲まれた位置に設けられている。
【００３４】
本体ケース１２には、プラグ挿入部２１から退避させた電極部４２（電極部４２については後述する）を収容するための電極部収容部１８が設けられている。電極部収容部１８は、本体ケース１２の内側からプラグ挿入部２１を取り囲む位置に設けられている。
【００３５】
より具体的には、本体ケース１２は、第２側壁部１６および第２底壁部１７を有する。第２側壁部１６は、外面１３から本体ケース１２の内側に連なり、第１側壁部２２の外周上で筒状に延在して設けられている。第２底壁部１７は、外面１３から本体ケース１２の内側に連なる先端で、第２側壁部１６の開口端を塞ぐように設けられている。第１底壁部２３と第２底壁部１７とは、互いに距離を隔てて対向配置されている。電極部収容部１８は、第１側壁部２２、第１底壁部２３、第２側壁部１６および第２底壁部１７により囲まれた位置に設けられている。
【００３６】
本実施の形態では、円柱形状の外形を有するプラグ７２に合わせて、プラグ挿入部２１も円柱形状の空間として設けられている。プラグ挿入部２１の形状は、挿入されるプラグ７２の形状に合わせて適宜変更される。
【００３７】
携帯型電話機１０は、電極部４２およびパッキン３１をさらに有する。電極部４２は、プラグ挿入部２１に挿入されたプラグ７２と接触するように設けられ、充電用コネクタ７０を通じて供給される電力の入力部となる。
【００３８】
プラグ７２がプラグ挿入部２１に挿入されていない通常時（図２中に示す状態）、電極部４２は、プラグ挿入部２１より退避した電極部収容部１８に収容されている。プラグ７２がプラグ挿入部２１に挿入されたバッテリ充電時（図３中に示す状態）、電極部４２は、電極部収容部１８からプラグ挿入部２１に進入し、プラグ７２と接触する。
【００３９】
パッキン３１は、プラグ挿入部２１に設けられている。パッキン３１は、シリコンゴムなどの柔軟性を有する材料により形成されている。パッキン３１は、プラグ挿入部２１の開口を塞ぐことによって、プラグ挿入部２１に水分や埃などの異物が侵入することを防ぐシール部材として設けられている。
【００４０】
プラグ７２がプラグ挿入部２１に挿入されていない通常時（図２中に示す状態）、パッキン３１は、プラグ挿入部２１の開口を塞ぐ第１位置に配置されている。プラグ７２がプラグ挿入部２１に挿入されたバッテリ充電時（図３中に示す状態）、パッキン３１は、プラグ挿入部２１の開口から見て、電極部４２よりも奥まった第２位置に配置されている。パッキン３１は、第１位置と第２位置との間で移動可能に設けられている。パッキン３１は、プラグ挿入部２１に対するプラグ７２の挿入方向（図３中の矢印１０１に示す方向）に沿ってスライド移動可能なように設けられている。
【００４１】
携帯型電話機１０は、板ばね４１Ａおよび板ばね４１Ｂ（以下、特に区別しない場合は板ばね４１という）と、ステム３３と、プレート３５と、弾性部材としてのコイルばね３７と、基板電極３９と、支持台４６とをさらに有する。
【００４２】
第１底壁部２３には、貫通孔２５が形成されている。貫通孔２５は、プラグ挿入部２１と電極部収容部１８との間を連通させるように形成されている。貫通孔２５には、ステム３３が挿通されている。ステム３３は、プラグ挿入部２１に対するプラグ７２の挿入方向（図３中の矢印１０１に示す方向）に沿って直線状に延伸している。プラグ挿入部２１に配置されるステム３３の一方端は、パッキン３１に接続され、電極部収容部１８に配置されるステム３３の他方端は、プレート３５に接続されている。
【００４３】
プレート３５は、導電性の材料により形成されている。プレート３５は、電極部収容部１８に収容されている。プレート３５は、第１底壁部２３と第２底壁部１７との間に配置されている。基板電極３９は、第２底壁部１７に取り付けられている。基板電極３９は、プレート３５と向かい合わせとなる位置に配置されている。
【００４４】
コイルばね３７は、導電性の材料により形成されている。コイルばね３７は、プレート３５と基板電極３９との間で両端支持されている。コイルばね３７は、プラグ挿入部２１に対するプラグ７２の挿入方向（図３中の矢印１０１に示す方向）に伸縮可能なように設けられている。
【００４５】
図４は、図２中のＩＶ−ＩＶ線上に沿った携帯型電話機を示す断面図である。図２から図４を参照して、板ばね４１は、導電性の材料から形成されている。前述した電極部４２は、板ばね４１の一部分として設けられている。
【００４６】
板ばね４１は、その構成部位として、第１辺部４５、第２辺部４４および第３辺部４５を有する。板ばね４１は、第１辺部４５と第２辺部４４との間および第２辺部４４と第３辺部４３との間で折れ曲がった、全体として略Ｕ字の形状を有する。
【００４７】
第１辺部４５の端部は、プレート３５に接続されている。第１辺部４５は、そのプレート３５に接続された位置から第２底壁部１７に向けて延伸している。第１側壁部２２には、電極部挿入孔２４が形成されている。電極部挿入孔２４は、プラグ挿入部２１と電極部収容部１８との間を連通させるように形成されている。第３辺部４３の端部は、電極部挿入孔２４に挿入されており、その第３辺部４３の端部によって電極部４２が構成されている。第３辺部４３は、電極部挿入孔２４に挿入された位置から第２底壁部１７に向けて延伸している。
【００４８】
支持台４６は、第２底壁部１７に取り付けられている。支持台４６は、三角柱の形状を有し、三角形の一辺をなす側面４７と、別の一辺をなす側面４８と、側面４７と側面４８とが交わる位置に配置される頂辺４６ｐとを有する。支持台４６は、側面４７が第３辺部４３と対向配置され、側面４８が第１辺部４５と対向配置されるように、第２底壁部１７に固定されている。第２辺部４４は、支持台４６に載置されている。
【００４９】
本実施の形態では、板ばね４１として、板ばね４１Ａおよび板ばね４１Ｂが設けられている。板ばね４１Ａと板ばね４１Ｂとは、コイルばね３７を中心に対称な位置に設けられている。板ばね４１Ａおよび板ばね４１Ｂのそれぞれに対応して、第１側壁部２２に電極部挿入孔２４が形成され、第２底壁部１７上に支持台４６が設けられている。
【００５０】
なお、板ばね４１は複数設けられることが好ましい。複数の板ばね４１は、コイルばね３７を中心に等間隔に配置されることが好ましい。
【００５１】
図５は、図２中の矢印Ｖに示す方向から見た携帯型電話機を示す図である。図２および図５を参照して、パッキン３１は、プラグ挿入部２１の開口形状に対応した形状、本実施の形態では、円形の平面視を有する。パッキン３１は、プラグ挿入部２１の開口を塞ぐ第１位置にある時に、プラグ挿入部２１の開口の外周で外面１３と重なり合うように設けられている。パッキン３１は、プラグ挿入部２１の開口よりも大径を有して形成されている。
【００５２】
このような構成によれば、パッキン３１とプラグ挿入部２１の開口との間に隙間が生じることを抑制し、パッキン３１による異物の侵入を防ぐ効果を高めることができる。
【００５３】
プラグ７２がプラグ挿入部２１に挿入されていない通常時、電極部４２は、プラグ挿入部２１より退避した電極部収容部１８に収容されている。このとき、板ばね４１の第２辺部４４は、側面４７に面接触した状態で、第３辺部４３から第１辺部４５に近づくほど第２底壁部１７からの距離が大きくなるように傾斜している。
【００５４】
図３を参照して、携帯型電話機１０のバッテリ充電時、充電用コネクタ７０のプラグ７２がプラグ挿入部２１に挿入される。
【００５５】
パッキン３１は、プラグ７２に押されることによって、プラグ挿入部２１の開口を塞ぐ第１位置から、プラグ挿入部２１の開口から見て電極部４２よりも奥まった第２位置に向けて移動する。パッキン３１は、柔軟性を有するため、プラグ挿入部２１の開口よりも大径を有するにもかかわらず、変形しながらプラグ挿入部２１内に進入する。第２位置において、パッキン３１は、プラグ挿入部２１に対するプラグ７２の挿入方向において、電極部挿入孔２４と第１底壁部２３との間に位置決めされる。
【００５６】
本実施の形態では、ステム３３、プレート３５および板ばね４１が、パッキン３１と電極部４２との間を連結し、プラグ挿入部２１へのプラグ７２の挿入時、第１位置から第２位置に移動するパッキン３１の動きを、電極部４２を電極部収容部１８からプラグ挿入部２１に向けて移動させる動きに変換する移動機構部として設けられている。
【００５７】
すなわち、パッキン３１が第１位置から第２位置に移動すると、その動きがステム３３を介してプレート３５に伝わる。プレート３５は、コイルばね３７を押し縮めながら基板電極３９に近接していく。このプレート３５の動きに伴って、プレート３５に接続された第１辺部４５が支持台４６の側面４８に近接していくことにより、第２辺部４４が頂辺４６ｐを支点に倒れ、側面４８に載置された状態となる。このとき、第３辺部４３が支持台４６の側面４７から離れる方向に移動することにより、電極部４２が電極部挿入孔２４を通じてプラグ挿入部２１に進入する。
【００５８】
電極部４２は、電極部収容部１８からプラグ挿入部２１に進入することにより、プラグ７２と接触する。プラグ７２から供給される電力は、電極部４２、板ばね４１、プレート３５およびコイルばね３７を順に伝わって、基板電極３９に送られる。
【００５９】
コイルばね３７が押し縮められることにより、コイルばね３７からパッキン３１に対して、第２位置から第１位置に押し戻す力が作用される。バッテリ充電の終了後、プラグ挿入部２１からプラグ７２を引き抜く際に、コイルばね３７からパッキン３１に作用する力によって、パッキン３１を第２位置からプラグ挿入部２１の開口を塞ぐ元の第１位置に戻す。
【００６０】
本実施の形態における携帯型電話機１０では、バッテリ充電時にコイルばね３７の弾性力に抗して、パッキン３１を第２位置に保持するためのロック機構が設けられている。
【００６１】
より具体的には、本体ケース１２は、プラグ挿入部２１に挿入されたプラグ７２が嵌め合わされる嵌合部１５を有する。嵌合部１５は、外面１３と第１側壁部２２との角部に設けられている。一方、図３中に示すように、プラグ７２は、小径部７３と、小径部７３よりも大きい直径を有する大径部７４とを有する。プラグ挿入部２１へのプラグ７２の挿入時、小径部７３がパッキン３１と当接し、大径部７４が嵌合部１５に嵌め合わされる。
【００６２】
このような構成により、大径部７４と嵌合部１５との間に、コイルばね３７からパッキン３１に作用する力よりも大きい摩擦力を生じさせ、バッテリ充電時にパッキン３１を第２位置に保持する。
【００６３】
本実施の形態における携帯型電話機１０においては、プラグ挿入部２１へのプラグ７２の挿入に伴って、パッキン３１がプラグ挿入部２１の開口を塞ぐ第１位置から電極部４２よりも奥まった第２位置に押し込まれるため、バッテリを充電するごとにパッキン３１を取り外す必要がない。このため、パッキン３１の劣化の進行を抑え、パッキン３１のシール部材としての機能を長期に渡って維持することができる。
【００６４】
また、本実施の形態では、プラグ７２をプラグ挿入部２１に挿入する動作に連動して、電極部４２を電極部収容部１８からプラグ挿入部２１に進入させる。これにより、プラグ挿入部２１へのプラグ７２の挿入時に、プラグ７２と電極部４２とが干渉することを防ぐとともに、プラグ７２の挿入後には、電極部４２とプラグ７２とを接触させることができる。
【００６５】
また、本実施の形態では、本体ケース１２に、プラス端子に対応するプラグ７２Ａが挿入されるプラグ挿入部２１Ａと、マイナス端子に対応するプラグ７２Ｂが挿入されるプラグ挿入部２１Ｂとが別々に設けられている。このような構成によれば、万が一プラグ挿入部２１Ａおよびプラグ挿入部２１Ｂのいずれか一方に水が侵入することがあっても短絡が生じるということがない。
【００６６】
以上に説明した、この発明の実施の形態１における携帯型電話機１０の構造にまとめて説明すると、本実施の形態における電子機器としての携帯型電話機１０は、プラグ７２が挿入される凹形状のプラグ挿入部２１と、プラグ挿入部２１が開口する外面１３とを有する筐体としての本体ケース１２と、プラグ挿入部２１に挿入されたプラグ７２と接触するように設けられる電極部４２と、プラグ挿入部２１に設けられ、プラグ挿入部２１の開口を塞ぐ第１位置と、プラグ挿入部２１の開口から見て電極部４２よりも奥まった第２位置との間で移動可能なパッキン３１とを備える。プラグ挿入部２１へのプラグ７２の挿入時、パッキン３１がプラグ７２に押されることにより第１位置から第２位置に移動する。
【００６７】
このように構成された、この発明の実施の形態１における携帯型電話機１０によれば、パッキン３１のシール部材としての機能を長期に渡って維持することにより、プラグ挿入部２１に埃や水などの異物が侵入することを防ぐことができる。
【００６８】
なお、本実施の形態では、電子機器の一例として携帯型電話機を挙げたが、本発明はこれに限られず、プラグが接続されることにより、充電もしくは情報信号の授受を行なう電子機器に適用される。このような電子機器の他の例としては、ＰＤＡ、タブレット端末、電子辞書もしくは電子ブックリーダなどが挙げられる。
【００６９】
（実施の形態２）
本実施の形態では、実施の形態１で説明した携帯型電話機１０の各種の変形例について説明する。
【００７０】
図６は、携帯型電話機の第１変形例を示す断面図である。図中には、図３中の２点鎖線ＶＩに囲まれた範囲に対応する携帯型電話機の断面形状が示されている。図６を参照して、本変形例では、バッテリ充電時にパッキン３１を第２位置に保持するためのロック機構として、ばね８４およびボール８５が用いられている。
【００７１】
本体ケース１２には、ばね／ボール収容凹部８３が形成されている。ばね／ボール収容凹部８３は、プラグ７２が挿入されるプラグ挿入部２１の内壁に開口するように形成されている。ばね／ボール収容凹部８３には、ばね８４およびボール８５が順に収容されている。プラグ７２には、ばね／ボール収容凹部８３に向かい合って凹部８１が形成されている。プラグ７２がプラグ挿入部２１に挿入されると、ボール８５が凹部８１に嵌まり込むとともに、ばね８４の弾性力によってプラグ７２に対して押し付けられる。このような構成により、バッテリ充電時にコイルばね３７の弾性力に抗して、パッキン３１を第２位置に保持することができる。
【００７２】
なお、パッキン３１を第２位置に保持するためのロック機構は、以上に説明した嵌合やばね／ボールを利用した構造に限られない。たとえば、図３中に示す支持台４６に電磁石構造を付加することにより、バッテリ充電時に、板ばね４１の第２辺部４４を側面４８に吸引する磁力を生じさせてもよい。
【００７３】
図７は、携帯型電話機の第２変形例を示す断面図である。図中には、実施の形態１における図４に対応する携帯型電話機の断面形状が示されている。
【００７４】
図７を参照して、本変形例では、本体ケース１２に、１つのプラグ挿入部２１が設けられている。そのプラグ挿入部２１に対して、バッテリ充電（プラス、マイナス）に用いられる板ばね４１Ａおよび板ばね４１Ｂと、携帯型電話機から他機器に向けた情報信号（データ）の送信に用いられる板ばね４１Ｃと、他機器から携帯型電話機に向けた情報信号の受信に用いられる板ばね４１Ｄとが集約して設けられている。板ばね４１Ａ、板ばね４１Ｂ、板ばね４１Ｃおよび板ばね４１Ｄは、コイルばね３７を中心に等間隔に配置されている。
【００７５】
板ばね４１Ａ〜４１Ｄの各板ばねに設けられた電極部４２と、基板電極３９との間で互いに独立した電流経路を形成するため、図２中のプレート３５が絶縁部材を介在させた４つの分割体として形成され、さらに、そのプレート３５の４つの分割体にそれぞれ接触するように４つのコイルばね３７が設けられている。
【００７６】
図８は、携帯型電話機の第３変形例を示す断面図である。図８は、実施の形態１における図３に対応する図である。図９は、図８中の携帯型電話機に用いられる充電用コネクタのプラグを示す斜視図である。
【００７７】
図８および図９を参照して、本変形例では、充電用コネクタ７０のプラグ７２に、シール部材として鍔状パッキン９１が設けられる。鍔状パッキン９１は、シリコンゴムなどの柔軟性を有する材料により形成されている。鍔状パッキン９１は、プラグ７２の外周面から鍔状に広がって設けられている。鍔状パッキン９１は、プラグ挿入部２１の開口形状に対応した形状、すなわち円形の平面視を有する。
【００７８】
プラグ７２がプラグ挿入部２１に挿入された状態で、鍔状パッキン９１は、プラグ挿入部２１の開口の外周で外面１３と重なり合うように位置決めされる。鍔状パッキン９１は、プラグ挿入部２１の開口よりも大径を有して形成されている。
【００７９】
このような構成によれば、プラグ挿入部２１へのプラグ７２の挿入時に、プラグ挿入部２１とプラグ７２との間に隙間が生じることを抑制できる。これにより、プラグ挿入部２１への異物の侵入を確実に防ぐことができる。
【００８０】
このように構成された、この発明の実施の形態２における携帯型電話機によれば、実施の形態１に記載の効果を同様に得ることができる。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８２】
この発明は、たとえば、携帯型電話機、ＰＤＡ、タブレット端末、電子辞書もしくは電子ブックリーダなどに利用される。
【符号の説明】
【００８３】
１０  携帯型電話機、１１  操作ボタン、１２  本体ケース、１３  外面、１４  液晶ディスプレイ、１５  嵌合部、１６  第２側壁部、１７  第２底壁部、１８  電極部収容部、２１，２１Ａ，２１Ｂ  プラグ挿入部、２２  第１側壁部、２３  第１底壁部、２４  電極部挿入孔、２５  貫通孔、３１  パッキン、３３  ステム、３５  プレート、３９  基板電極、４１，４１Ａ〜４１Ｄ  板ばね、４２  電極部、４３  第３辺部、４４  第２辺部、４５  第１辺部、４６  支持台、４６ｐ  頂辺、４７，４８  側面、７０  充電用コネクタ、７２，７２Ａ，７２Ｂ  プラグ、７３  小径部、７４  大径部、７６  ＡＣアダプタ、７７  コンセントプラグ、８１  凹部、８３  ばね／ボール収容凹部、８５  ボール、９１  鍔状パッキン。
【図１】
2013062130.tif 000003
【図２】
2013062130.tif 000004
【図３】
2013062130.tif 000005
【図４】
2013062130.tif 000006
【図５】
2013062130.tif 000007
【図６】
2013062130.tif 000008
【図７】
2013062130.tif 000009
【図８】
2013062130.tif 000010
【図９】
2013062130.tif 000011